(57)【要約】【課題】バウンス動作の際にもラチェット機構のスムーズな動きを確保しつつ、ラチェット機構部分の組立て工程においてもその手間を省いて生産効率を向上することができ、製造コストを削減することができるストロボ装置を提供する。【解決手段】ラチェット機構部分の組立て工程において、一時係止部材２２が回転体８の外周から突出した状態で収納凹部ＳＯ１、ＳＯ２内に爪状突出部ＴＴ１によって押えられた状態で保持されるため、一時係止部材２２および第２付勢部材２３の収納凹部ＳＯ１、ＳＯ２への組み付けを容易にするとともに、ラチェット機構部分の分解時にも一時係止部材２２が第２付勢部材２３と一緒に収納凹部ＳＯ１、ＳＯ２から不用意に飛び出してしまうことを防止する。【選択図】図２
2008180913.tif 000002
【特許請求の範囲】
【請求項１】
本体部と、被写体を照明する発光部と、前記発光部をその照明方向が前記被写体に正対した基本状態から前記本体部に対して少なくとも垂直方向に回動できるように前記本体部に連結する連結部とからなるストロボ装置であって、
前記連結部は、樹脂成形により形成され、その両側面が、それぞれ、前記連結部の一部として一体成形された円環部と、前記円環部の内周に接した状態で前記発光部の回動と連動して回転する回転体機構部とで構成され、
少なくも一方の側面を構成する前記円環部および前記回転体機構部に、前記発光部の少なくとも垂直方向の回動動作を一時的に係止できるラチェット機構を形成した
ことを特徴とするストロボ装置。
【請求項２】
前記回転体機構部は、前記円環部の内周で回転し半径方向に外周まで貫通する収納凹部が形成された回転体と、前記収納凹部に嵌合した状態で前記回転体の半径方向に付勢されて前記回転体の外周から突出する突出先端部を有する一時係止部材とを備え、
前記円環部は、前記発光部の前記基本状態からの回動角度が０°から９０°の間の所定角度の状態で前記突出先端部に係合する一時係止凹部を備え、
前記ラチェット機構は、前記回転体と前記一時係止部材と前記一時係止凹部とからなり、前記一時係止部材の前記突出先端部が前記一時係止凹部に係合することにより前記発光部の前記回動動作を一時的に係止する
ことを特徴とする請求項１記載のストロボ装置。
【請求項３】
前記回転体は、その周方向で前記収納凹部の内側に突出する爪状突出部を有し、前記爪状突出部により、前記一時係止部材の前記収納凹部からの飛び出しを抑止する
ことを特徴とする請求項１または請求項２記載のストロボ装置。
【発明の詳細な説明】
【技術分野】
【０００１】
本発明は、写真撮影の際に被写体を照明する人工照明光源として有用されているストロボ装置に関し、特にその照明光の照射方向を可変できる、いわゆるバウンス機能を備えたストロボ装置に関するものである。
【背景技術】
【０００２】
従来から、写真撮影の際に被写体を照明する人工照明光源としてストロボ装置は有用されており、撮影者がその照明光の照射方向を可変する（バウンス動作）ことができるいわゆるバウンス機能を備えたストロボ装置も種々実用化されている。
【０００３】
このようなストロボ装置は、通常、発光部の発光窓部が被写体に正対する状態でカメラに装着され、バウンス機能を備えたストロボ装置は、かかる状態を基本として垂直方向（上下方向）に発光部を回動でき、これにより発光窓部から射出される照明光の照射方向を、被写体に対して垂直方向に可変できるように構成されている。
【０００４】
また、垂直方向への回動動作は、通常、その回動範囲内の適当な回動位置にて発光部が一時的に係止できるように成され、これにより所望の照明方向を設定できるように構成されている。
【０００５】
以上のようなバウンス機能を有した従来のストロボ装置（例えば、特許文献１を参照）を、図面を用いて以下に説明する。
図９はバウンス機能を有した従来のストロボ装置の略外観斜視図である。図１０は図９に示す従来のストロボ装置の内部構造を示す側面断面図である。図１１は図１０のＢ−Ｂ’矢視から見たバウンス動作をロック状態にした時の断面図である。図１２は図１０のＢ−Ｂ’矢視から見たバウンス動作をロック解除した時の断面図である。
【０００６】
図９に示すように、発光部１は連結部２を介して本体部３に連結されている。本体部３はアクセサリーシュー５を介して図示しないカメラ本体に接続／固定され、発光部１は連結部２を中心に本体部３に対して垂直方向（上下方向）に回動自在に支持される。
【０００７】
また、実際の写真撮影においては、バウンス機能を用いての撮影頻度に比して発光窓部を被写体に正対させた状態での撮影頻度が大部分であることを考え、連結部２には、発光部１が被写体に正対した状態から撮影者の意思に関係なく不用意に垂直方向に回動しないように、正対状態において発光部１の垂直方向への回動を禁止する回動禁止手段（ロック機構）が設けられている。また、その禁止状態を解除する手段も併せて設けられている。
【０００８】
発光部１の一方の側面に設けられている操作部材４は、撮影者が手動操作にて発光部１の垂直方向への回動動作の禁止状態（バウンスロック状態）を解除するための部材である。すなわち、発光部１の垂直方向への回動動作が禁止状態にあるとき、撮影者が手動操作にて操作部材４を押圧することで、その禁止状態が解除され、発光部１は撮影者による垂直方向への回動動作（バウンス動作）が可能な状態となる。
【０００９】
上記のバウンス動作は手動であり、ロック機構として、図１０、図１１に示すように、発光部１による正面方向照射時（発光部１の上下方向の角度として仰角０°）と上面方向照射時（発光部１の上下方向の角度として仰角９０°）で、ロック金具である第１係止部材１００が金属部材である第２係止部材２００に係合することにより、発光部１に対する上下方向のバウンス動作が発光部１の仰角０°および仰角９０°でロックされる（バウンスロック状態）。
【００１０】
また、図１０に示すように、発光部１は、０°〜９０°の中間の所定位置（例えば上述では、４５°、６０°、７５°の各仰角位置）で、一時係止部材３００、一時係止凹部４００、付勢部材５００および収納凹部６００からなるラチェット機構により、一時的に停止される。
【００１１】
また、図１２に示すように、撮影者が手動操作にて解除ボタンである操作部材４を矢印Ｙ１方向に押圧することにより、第１係止部材１００が第２係止部材２００から外れて、図１０、図１１に示す発光部１に対する上下方向のバウンスロック状態が解除される（バウンスロック解除状態）。
【００１２】
なお、上記で説明した従来のストロボ装置においては、連結部２が２ピースの合わせ構造で構成されているため、静圧時での連結部２の開き防止のために第２係止部材２００は金属で形成されている。この従来例では、第１係止部材１００および第２係止部材２００としては、例えばＳＵＳ（ステンレス）板から打ち抜いたプレス品が使用されている。
【００１３】
以上のように、照明光の照射方向を可変できるバウンス機能を有するストロボ装置は、発光部１と本体部３が連結部２にて連結され、発光部１が連結部２を中心に本体部３に対して垂直方向に回動自在となるように構成されている。
【特許文献１】特開平１１−６４９３７号公報
【発明の開示】
【発明が解決しようとする課題】
【００１４】
しかしながら上記のような従来のストロボ装置では、ラチェット機構部分の組立て工程において、一時係止部材３００および付勢部材５００の組み付けの際には、一時係止部材３００を収納凹部６００に収納した状態で付勢部材５００を圧縮しつつ組み付けるようにしているが、その組み付けの間に、一時係止部材３００および付勢部材５００が収納凹部６００から飛び出してしまうことがあって、一時係止部材３００および付勢部材５００の収納凹部６００への収納状態を保持し続けることが困難であり、ラチェット機構部分の組立て工程において多くの手間が掛かり生産効率が著しく低下し、ひいては製造コストの上昇に繋がるという問題点を有していた。
【００１５】
本発明は、上記従来の問題点を解決するもので、撮影者によるバウンス動作の際にもラチェット機構のスムーズな動きを確保しつつ、ラチェット機構部分の組立て工程においてもその手間を省いて生産効率を向上することができ、製造コストを削減することができるストロボ装置を提供する。
【課題を解決するための手段】
【００１６】
上記の課題を解決するために、本発明の請求項１記載のストロボ装置は、本体部と、被写体を照明する発光部と、前記発光部をその照明方向が前記被写体に正対した基本状態から前記本体部に対して少なくとも垂直方向に回動できるように前記本体部に連結する連結部とからなるストロボ装置であって、前記連結部は、樹脂成形により形成され、その両側面が、それぞれ、前記連結部の一部として一体成形された円環部と、前記円環部の内周に接した状態で前記発光部の回動と連動して回転する回転体機構部とで構成され、少なくも一方の側面を構成する前記円環部および前記回転体機構部に、前記発光部の少なくとも垂直方向の回動動作を一時的に係止できるラチェット機構を形成したことを特徴とする。
【００１７】
また、本発明の請求項２記載のストロボ装置は、請求項１記載のストロボ装置であって、前記回転体機構部は、前記円環部の内周で回転し半径方向に外周まで貫通する収納凹部が形成された回転体と、前記収納凹部に嵌合した状態で前記回転体の半径方向に付勢されて前記回転体の外周から突出する突出先端部を有する一時係止部材とを備え、前記円環部は、前記発光部の前記基本状態からの回動角度が０°から９０°の間の所定角度の状態で前記突出先端部に係合する一時係止凹部を備え、前記ラチェット機構は、前記回転体と前記一時係止部材と前記一時係止凹部とからなり、前記一時係止部材の前記突出先端部が前記一時係止凹部に係合することにより前記発光部の前記回動動作を一時的に係止することを特徴とする。
【００１８】
また、本発明の請求項３記載のストロボ装置は、請求項１または請求項２記載のストロボ装置であって、前記回転体は、その周方向で前記収納凹部の内側に突出する爪状突出部を有し、前記爪状突出部により、前記一時係止部材の前記収納凹部からの飛び出しを抑止することを特徴とする。
【発明の効果】
【００１９】
以上のように本発明によれば、ラチェット機構部分の組立て工程において、一時係止部材が回転体の外周から突出した状態で収納凹部内に爪状突出部によって押えられた状態で保持されるため、一時係止部材および第２付勢部材の収納凹部への組み付けを容易にするとともに、ラチェット機構部分の分解時にも一時係止部材が第２付勢部材と一緒に収納凹部から不用意に飛び出してしまうことを防止することができる。
【００２０】
そのため、撮影者によるバウンス動作の際にもラチェット機構のスムーズな動きを確保しつつ、ラチェット機構部分の組立て工程においてもその手間を省いて生産効率を向上することができ、製造コストを削減することができる。
【発明を実施するための最良の形態】
【００２１】
以下、本発明の実施の形態を示すストロボ装置について、図面を参照しながら具体的に説明する。
本実施の形態におけるストロボ装置は、照明光の照射方向を可変できるバウンス機能を備え、発光部を垂直方向（上下方向）に回動できる構成となっている。その外観は、前述した図９と同様である。すなわち、図９に示すように、発光部１と本体部３が連結部２にて連結されており、本体部３はアクセサリーシュー５を介して図示しないカメラ本体に接続／固定され、発光部１は連結部２を中心に軸Ｊ１を回動軸として本体部３に対して垂直方向に回動自在に支持される。
【００２２】
また、発光部１の一方の側面には操作部材４が設けられており、発光部１の垂直方向への回動動作が禁止されているとき、手動操作にて操作部材４を押圧することで、その禁止状態が解除され、発光部１は垂直方向への回動動作が可能な状態となる。
【００２３】
また、後述するように、連結部２には、発光窓部を被写体に正対させる回動位置（以下、正位置と称す。）および正位置から９０°上方に向く回動位置において、発光部１の垂直方向への回動動作を禁止する禁止手段が設けられている。また、その禁止状態を操作部材４の動作に応じて解除する解除手段が併せて設けられている。これら禁止手段および解除手段によりロック機構が形成されている。さらに、回動範囲内の適当な回動位置にて発光部１を一時的に係止させる一時係止手段が併せて設けられている。
【００２４】
図１に連結部２の略外観斜視図を示す。また図２に連結部２の側面図を示す。図１、２に示すように、連結部２の筐体は、樹脂成形により形成された第１筐体６と第２筐体７からなる。また、連結部２の筐体の一方の側面には、樹脂成形により形成された回転体８が回転自在に嵌合しており、他方の側面には図示しない樹脂成形により形成された回転体が回転自在に嵌合している。
【００２５】
図３に、回転体８を含む回転体機構部の拡大斜視図を示す。図３に示すように、回転体８には複数個の嵌合部９と、複数個のビス穴１０が形成されている。回転体８は、発光部１の筐体の一方の側面に形成された有底あるいは無底の穴に嵌合部９を嵌合させ、発光部１の筐体の一方の側面に形成されたビス穴からビス穴１０へビスを挿入して、発光部１の筐体に固定される。なお、図示しないが、連結部２の筐体の他方の側面に設けられた回転体も同様に発光部１に固定される。
【００２６】
このように、連結部２の筐体の両側面に設けられた一対の回転体は、発光部１の筐体の両側面にそれぞれ固定され、手動操作により発光部１が回動されると、それに伴い回転する。この構成により、発光部１は、本体部３に取り付けられた連結部２を中心に本体部３に対して垂直方向に回動自在となる。
【００２７】
図４に回転体機構部の分解斜視図を示す。図３、４に示すように、回転体８の凹部１１には、第１付勢部材１３を介して、樹脂成形により形成された第１係止部材１４が嵌合される。第１係止部材１４は、回転体８が回転不可な状態にあるとき、第１付勢部材１３の付勢力により発光部１の筐体内面に圧接される。
【００２８】
図５に第１係止部材１４の拡大斜視図を示す。図５に示すように、第１係止部材１４には、第１係止部１５と、複数個の突出部１６と、複数個の穴１７が形成されている。複数個の突出部１６は穴部を形成しており、図３に示すように、その穴部には押下部材１８が挿入される。
【００２９】
また、複数個の穴１７には、図３に示すように、回転体８の凹部１１に設けられた突起部１２が挿入される。押下部材１８の当接部１９は、発光部１に設けられた操作部材４の直下に位置し、回転体８が回転不可な状態にあるとき、当接部１９の外周部（鍔部）が第１係止部材１４の突出部１６を介した第１付勢部材１３の付勢力により押圧されて、操作部材４の内面に圧接される。
【００３０】
図１、２に示すように、第１筐体６の側面には、正位置に対応する位置に第２係止部２０が形成され、正位置から９０°上方に向く回動位置に対応する位置に第２係止部２１が形成されており、発光部１が正位置あるいは正位置から９０°上方に向く回動位置にあるとき、第１係止部材１４の第１係止部１５が第２係止部２０あるいは第２係止部２１に嵌合することで、第１係止部材１４は係止され、回転体８は回転不可な状態となり、発光部１の回動動作が禁止される。
【００３１】
一方、操作部材４が第１付勢部材１３の付勢力に逆らって押圧されると、その操作部材４の動作に連動して押下部材１８および第１係止部材１４が移動して、第１係止部材１４の第１係止部１５と第２係止部２０あるいは第２係止部２１との嵌合がはずれ、回転体８は回転可能な状態となり、発光部１の回動動作の禁止状態が解除される。
【００３２】
また、図３に示すように、ラチェット機構として、回転体８には一時係止部材２２と第２付勢部材２３が取り付けられており、また、図１、２に示すように、第１筐体６には複数個の一時係止凹部２４〜２８が形成されている。発光部１の回動時に、第２付勢部材２３の付勢力により一時係止部材２２が一時係止凹部２４〜２８へ落ち込むことで、発光部１は一時的に係止される。
【００３３】
なお、ここでは、一時係止凹部２４は正位置に対応しており、一時係止凹部２５は発光部１が正位置から４５°上方に向く回動位置に対応しており、一時係止凹部２６は発光部１が正位置から６０°上方に向く回動位置に対応しており、一時係止凹部２７は発光部１が正位置から７５°上方に向く回動位置に対応しており、一時係止凹部２８は発光部１が正位置から９０°上方に向く回動位置に対応している。
【００３４】
また、図１、２に示すように、連結部２の筐体の一方の側面の円周部には、連結部２の筐体の外周面と発光部１の筐体の内側面との隙間から侵入する水滴等が連結部内部へ侵入しないように、平面視が円環状のシール部材２９が設けられている。また、図示しないが、連結部２の筐体の他方の側面の円周部にも、同様に平面視が円環状のシール部材が設けられている。
【００３５】
図６は、第１、第２筐体６、７の斜視図である。図６に示すように、第１筐体６の一方の端部には円環部３０が、反対側の端部には円環部３１が一体形成されており、円環部３０の内周側に、上記した第２係止部２０、２１および一時係止凹部２４〜２８が形成されている。
【００３６】
また図示しないが、第１、第２筐体６、７の両端部には、上述したシール部材２９を設けるための溝が形成されている。
また、第１筐体６の一対の円環部３０、３１には、係止凸部３２とビス穴３３が形成されている。一方、第２筐体７には、円環部３０、３１の係止凸部３２とビス穴３３に対応する位置に係止穴部３４とビス穴３５が形成されており、第１筐体６と第２筐体７を組み付ける際には、まず第１筐体６の係止凸部３２を第２筐体７の係止穴部３４に嵌合して仮固定した後、第２筐体７のビス穴３５から第１筐体６のビス穴３３へビスを挿入する。
【００３７】
図７、８は、図２に示すＡ−Ａ’部の断面図であり、図７は発光部１の垂直方向への回動動作が禁止された回動禁止状態（バウンスロック状態）を、図８は回動禁止状態が解除された解除状態（バウンスロック解除状態）をそれぞれ示す。なお、図７、８は、発光部１が正位置にあるときの状態を示しているが、正位置から９０°上方に向く回動位置にあるときの状態も同様である。
【００３８】
図７、８に示すように、発光部１の垂直方向への回動動作が禁止された回動禁止状態を解除する操作部材４は、発光部１の筐体３６、３７に固定配置されている。この操作部材４は、その中央部３８が押圧されることにより押圧方向Ｙ２に弾性変形する弾性部材から構成され、具体的には、手動操作にて押圧されることにより、その中央部３８が図７に示す基準位置から図８に示す動作位置の間で移動する。
【００３９】
また、図７、８に示すように、第１付勢部材１３は、回転体８の凹部に設けられた溝４０と第１係止部材１４に設けられた溝４１に嵌合しており、図７に示すように、回動禁止状態時には、その付勢力により第１係止部材１４を発光部１の筐体３６、３７の内面に圧接する。その結果、第１係止部材１４の第１係止部１５が一方の第２係止部２０に嵌合して、第１係止部材１４が係止され、回転体８が回転不可な状態となり、発光部１の回動動作が禁止される。また、回動禁止状態時には、第１付勢部材１３の付勢力により押下部材１８の当接部１９の鍔部が第１係止部材１４の突出部１６から押圧され、押下部材１８の当接部１９が操作部材４の内面３９に圧接される。
【００４０】
一方、操作部材４が基準位置から動作位置へ移動する時、押下部材１８の当接部１９の鍔部が第１係止部材１４の突出部１６を押圧して、第１係止部材１４は、第１付勢部材１３の付勢力に逆らって操作部材４と同方向Ｙ２に連動して移動する。
【００４１】
換言すると、第１係止部材１４は操作部材４の手動操作による基準位置から動作位置への移動に基づいて図７に示した係止位置から図８に示した非係止位置間を第１付勢部材１３の付勢力に逆らって移動する。なお、操作部材４が手動操作されない場合、第１係止部材１４は第１付勢部材１３の付勢力により常時上述の係止位置に位置するように付勢されている。
【００４２】
係止位置にある第１係止部材１４の第１係止部１５に係合する第２係止部２０、２１は、連結部２の筐体６に一体形成されており、第１係止部材１４が嵌合される回転体８は発光部１の筐体３６、３７に固定配置されているので、操作部材４が基準位置に位置し、第１係止部材１４の第１係止部１５と第２係止部２０、２１とが係合している場合、発光部１の筐体の連結部２の筐体に対する上下方向への回動動作ができない回動禁止状態（バウンスロック状態）が設定される。
【００４３】
逆に、基準位置に位置している操作部材４の中央部３８を手動操作（押圧）して動作位置まで移動させると、図８に示すように第１係止部材１４も同時に非係止位置まで移動し、これにより第１係止部材１４の第１係止部１５と第２係止部２０、２１との係合が解除されることになる。第１係止部１５と第２係止部２０、２１との係合が解除されると、発光部１の筐体の連結部２の筐体に対する上下方向への回動動作を実行できる解除状態（バウンスロック解除状態）が設定される。
【００４４】
第１係止部１５と一方の第２係止部２０（２１）との係合が解除された状態で上述の回動動作を行うと、以降、第１係止部１５は他方の第２係止部２１（２０）の形成位置に到達し、第１付勢部材１３の付勢力にて上記他方の第２係止部２１（２０）と係合するまで第１係止部１５が円環部３０の内面上を摺動しながら移動することになる。
【００４５】
また、連結部２の筐体には、図７、８に示すように溝４２が形成されており、この円環状の溝にシール部材２９が設けられている。
以上の構成において、図５に示す第１係止部材１４の最端部に形成された第１係止部１５の各外側対向面１５ａ、１５ｂは、発光部１の回動軸Ｊ１に平行方向に第１係止部材１４から遠ざかるに従って狭まるようにテーパ面を形成している。さらに、第１係止部１５の各外側対向面１５ａ、１５ｂは、図２に示すように、発光部１の回動軸Ｊ１から垂直方向に遠ざかるに従って拡がるようにテーパ面を形成している。
【００４６】
なお、図５に示す第１係止部材１４の最端部に形成された他の第１係止部１５の各外側対向面についても、上記と同様に形成されている。
また、図６に示すように、第１筐体６の円環部３０に形成された第２係止部２０の内側対向面２０ａは、発光部１の回動軸Ｊ１に平行方向に第１筐体６から遠ざかるに従って拡がるようにテーパ面を形成している。さらに、第２係止部２０の内側対向面２０ａは、図２に示すように、発光部１の回動軸Ｊ１から垂直方向に遠ざかるに従って拡がるようにテーパ面を形成している。
【００４７】
なお、図６に示す第１筐体６の円環部３０に形成された他の第２係止部２０、２１の各内側対向面についても、上記と同様に形成されている。
また、上記の第１係止部１５および第２係止部２０は、第１係止部材１４が図２に示すように回転体８の凹部１１に嵌合された状態で、第１係止部１５が第２係止部２０内に係止されている場合に、第１係止部１５の外側対向面１５ｂと第２係止部２０の内側対向面２０ａとの間で面同士が平行になるように、形成される。
【００４８】
また、第１係止部１５の各外側対向面１５ａ、１５ｂおよび第２係止部２０の内側対向面２０ａにおける各テーパの傾斜の度合いは、第１係止部１５と第２係止部２０との間でのバウンスロック動作およびバウンスロック解除動作が、第１係止部１５と第２係止部２０が引っ掛かったりして妨げられるようなことがなく、各動作間がスムーズに移行する程度に形成される。
【００４９】
また、以上の構成において、図２、３に示すように、ラチェット機構として、回転体８には、一時係止部材２２と第２付勢部材２３を収納するための収納凹部（内周側）ＳＯ１、収納凹部（外周側）ＳＯ２が形成されており、収納凹部（内周側）ＳＯ１と収納凹部（外周側）ＳＯ２との間の段差部分には、一時係止部材２２を収納凹部（外周側）ＳＯ２内に係止するための凹部係止面ＯＫ１が形成されている。さらに、図２、３に示すように、回転体８には、その周方向で収納凹部（外周側）ＳＯ２の内側に突出する爪状突出部ＴＴ１が形成されている。
【００５０】
そして、図２、３に示すように、同様にラチェット機構を構成する一時係止部材２２が収納凹部（外周側）ＳＯ２内に収納され、またラチェット機構を構成する第２付勢部材２３が収納凹部（内周側）ＳＯ１内に収納される。
【００５１】
また、図２、３に示すように、一時係止部材２２は、第２付勢部材２３に付勢された状態で回転体８の外周から突出する突出先端部２２ａと、第２付勢部材２３に付勢された状態で凹部係止面ＯＫ１に当接して係止される係止鍔部２２ｂ、２２Ｃとからなり、爪状突出部ＴＴ１は、一時係止部材２２の上面を押えることにより、一時係止部材２２の収納凹部（外周側）ＳＯ２から回動軸Ｊ１方向への飛び出しを抑止し、凹部係止面ＯＫ１および係止鍔部２２ｂ、２２Ｃは、係止鍔部２２ｂ、２２Ｃが第２付勢部材２３によって回動軸Ｊ１に対して垂直方向へ付勢された状態で凹部係止面ＯＫ１に当接することにより、一時係止部材２２の収納凹部（外周側）ＳＯ２から回動軸Ｊ１に対して垂直方向への飛び出しを抑止する。
【００５２】
以上のように構成されたラチェット機構部分の組立て手順を、次に説明する。
まず、一時係止部材２２を収納凹部（外周側）ＳＯ２内に挿入して収納する。その際、一時係止部材２２は、突出先端部２２ａを先頭にして、爪状突出部ＴＴ１の下側で収納凹部（外周側）ＳＯ２内をスライドさせながら、係止鍔部２２ｂ、２２Ｃが凹部係止面ＯＫ１に当接して係止され突出先端部２２ａが回転体８の外周から突出するまで、収納凹部（外周側）ＳＯ２内に挿入し収納する。
【００５３】
次に、第２付勢部材２３を収納凹部（内周側）ＳＯ１内に挿入して収納する。その際、第２付勢部材２３は、その伸長方向の付勢力に抗して圧縮しつつ、その伸長方向が回動軸Ｊ１に対して垂直方向となるように収納凹部（内周側）ＳＯ１内に挿入し、その後、第２付勢部材２３への圧縮抗力を開放することにより、回転体の内周よりの端部が収納凹部（内周側）ＳＯ１の回動軸Ｊ１よりの内壁に当接して付勢するとともに、回転体の外周よりの端部が一時係止部材２２に当接して付勢するように、収納凹部（内周側）ＳＯ１内に収納する。
【００５４】
以上のように本実施の形態によれば、ラチェット機構部分の組立て工程において、一時係止部材２２が回転体８の外周から突出した状態で収納凹部ＳＯ１、ＳＯ２内に爪状突出部ＴＴ１によって押えられた状態で保持されるため、一時係止部材２２および第２付勢部材２３の収納凹部ＳＯ１、ＳＯ２への組み付けを容易にするとともに、ラチェット機構部分の分解時にも一時係止部材２２が第２付勢部材２３と一緒に収納凹部ＳＯ１、ＳＯ２から不用意に飛び出してしまうことを防止することができる。
【００５５】
そのため、撮影者によるバウンス動作の際にもラチェット機構のスムーズな動きを確保しつつ、ラチェット機構部分の組立て工程においてもその手間を省いて生産効率を向上することができ、製造コストを削減することができる。
【産業上の利用可能性】
【００５６】
本発明のストロボ装置は、撮影者によるバウンス動作の際にもラチェット機構のスムーズな動きを確保しつつ、ラチェット機構部分の組立て工程においてもその手間を省いて生産効率を向上することができ、製造コストを削減することができるもので、照明光の照射方向を可変できるいわゆるバウンス機能を備えたストロボ装置に適用できる。
【図面の簡単な説明】
【００５７】
【図１】本発明の実施の形態のストロボ装置における連結部の構成を示す外観斜視図
【図２】同実施の形態のストロボ装置における連結部の構成を示す外観側面図
【図３】同実施の形態のストロボ装置における連結部の回転体機構部の構成を示す外観斜視図
【図４】同実施の形態のストロボ装置における連結部の回転体機構部の構成を示す分解斜視図
【図５】同実施の形態のストロボ装置における連結部の第１係止部材の構造を示す外観斜視図
【図６】同実施の形態のストロボ装置における連結部の筐体の構成を示す分解斜視図
【図７】同実施の形態のストロボ装置における連結部の構成（バウンスロック状態）を示す断面図
【図８】同実施の形態のストロボ装置における連結部の構成（バウンスロック解除状態）を示す断面図
【図９】従来のストロボ装置の構成を示す外観斜視図
【図１０】同従来例のストロボ装置における内部構造を示す側面断面図
【図１１】同従来例のストロボ装置における発光部のバウンスロック状態を示す断面図
【図１２】同従来例のストロボ装置における発光部のバウンスロック解除動作を示す断面図
【符号の説明】
【００５８】
１    発光部
２    連結部
３    本体部
４    操作部材
５    アクセサリーシュー
６    第１筐体
７    第２筐体
８    回転体
９    嵌合部
１０    ビス穴
１１    凹部
１２    突起部
１３    第１付勢部材
１４    第１係止部材
１５    第１係止部
１６    突出部
１７    穴
１８    押下部材
１９    当接部
２０    第２係止部
２１    第２係止部
２２    一時係止部材
２２ａ    突出先端部
２２ｂ、２２Ｃ    係止鍔部
２３    第２付勢部材
２４    一時係止凹部（０°）
２５    一時係止凹部（４５°）
２６    一時係止凹部（６０°）
２７    一時係止凹部（７５°）
２８    一時係止凹部（９０°）
２９    シール部材
３０    円環部
３１    円環部
３２    係止凸部
３３    ビス穴
３４    係止穴部
３５    ビス穴
３６    （発光部の）筐体
３７    （発光部の）筐体
３８    （操作部材の）中央部
３９    （操作部材の）内面
４０    （回転体の）溝（第１付勢部材用）
４１    （第１係止部材の）溝（第１付勢部材用）
４２    （筐体の）溝（シール部材用）
１００    第１係止部材
２００    第２係止部材
３００    一時係止部材
４００    一時係止凹部
５００    付勢部材
６００    収納凹部
Ｊ１    回動軸
ＯＫ１    凹部係止面
ＳＯ１    収納凹部（内周側）
ＳＯ２    収納凹部（外周側）
ＴＴ１    爪状突出部
【図１】
2008180913.tif 000003
【図２】
2008180913.tif 000004
【図３】
2008180913.tif 000005
【図４】
2008180913.tif 000006
【図５】
2008180913.tif 000007
【図６】
2008180913.tif 000008
【図７】
2008180913.tif 000009
【図８】
2008180913.tif 000010
【図９】
2008180913.tif 000011
【図１０】
2008180913.tif 000012
【図１１】
2008180913.tif 000013
【図１２】
2008180913.tif 000014